(57)【要約】【課題】電池を収納するだけでなく、電池蓋を装着しなければ電池が電気回路に接続されない、信頼性の高い電池収納装置を提供する。【解決手段】電子機器内に設けられ、電子機器に電力を供給するための電池を収納した電池収納装置であって、電池６を収納する電池収納用の凹部で構成した電池室４と、凹部に予め定められた方向及び状態で電池６を収納するとともに凹部に予め定められた状態で電池蓋５を装着すると、電池６と電子機器内の電気回路とを電気的に接続するスイッチ回路とを備えた。【選択図】　図１
2004039439.tif 000002
【特許請求の範囲】
【請求項１】
電子機器内に設けられ、前記電子機器に給電するための電池を収納した電池収納装置であって、
前記電池を収納する電池収納用の凹部で構成した電池室及びこれを閉じる電池蓋と、
前記電池室に予め定められた方向及び状態で電池を収納するとともに前記電池室に予め定められた状態で前記電池蓋を装着すると、前記電池と前記電子機器内の電気回路とを電気的に接続するスイッチ回路と
を備えたことを特徴とする電池収納装置。
【請求項２】
前記スイッチ回路の一部が、前記電池蓋に装着された導電体で構成されたことを特徴とする請求項１に記載の電池収納装置。
【請求項３】
前記電池蓋に形成した係止片と、
前記電池収納用凹部の開口部に形成した係止用透孔と、
前記係止片を前記係止用透孔に挿入すると、前記係止片によって前記スイッチ回路が動作するように構成したことを特徴とする請求項１又は２に記載の電池収納装置。
【発明の詳細な説明】
【０００１】
【発明の属する技術分野】
本発明は、携帯電話機、ＰＤＡ、その他の電子機器に使用する電池収納装置に関する。
【０００２】
【従来の技術】
一般に、携帯電話機、ＰＤＡ、その他の電子機器には、電力を供給する電池を収める電池収納装置を備えたものが各種開発され使用されている。通常、この電池収納装置にあっては、電池を収納すると、電池が電子機器内の電気回路に直接そのまま接続されるように構成されていることが多い。
【０００３】
一方、このような電子機器には、勿論、電源スイッチが設けられており、電源スイッチをオフにしてあれば、電子機器内部の電気回路と電池とが直接接続されることはない。
【０００４】
【発明が解決しようとする課題】
ところが、通常、このような電子機器では、電源スイッチが予めオン状態となっていた場合やその後にオンした場合など、いずれの場合も、その電池を収納する電池室に電池蓋をきちんと装着していると否とに係わらず、電池がそのまま電子機器内部の電気回路に接続されることになる。このため、例えば、電池蓋を装着していない状態で電子機器を使用した場合、使用中に電池が脱落して途中で電源が切れる可能性があり、別言すれば電力の瞬断事故を招く虞があり、前述のような電子機器などでも、余り好ましいものではなかった。
【０００５】
一方、複数の乾電池を直列に接続するために、電池蓋に短絡用の導電体を設けたものも知られているが、この種の電池収納装置では、あくまでも複数の乾電池を直列に接続することが目的であり、電池蓋を完全に閉じていなくても一応電池が直列に接続され、電池が電子機器内の電気回路に接続される、といったように構成されているものである。
【０００６】
このように、従来知られている電池収納装置は、いずれも、電池を収納すると、電池蓋を完全に閉めなくてもそのまま電池が電子機器内部の電気回路と接続されるように構成されている。
従って、電池収納装置を誤って取り扱い、或いは粗雑に取り扱ってしまい、電池蓋を完全に（きちんと）閉じないで電池を収納しただけの状態で電源スイッチをオンして使用するような場合、途中で電池が電池室内部から脱落し、この電池収納装置を備えてある電子機器内部の電気回路にトラブルを生じる虞があり、余り好ましいものではなかった。
【０００７】
特に、その電子機器が、携帯電話機、ＰＤＡ、その他、電子的なメモリを備えた構成である場合には、メモリに記憶された内容が消滅したり、破壊したりすることがあり、きわめて不都合なものであった。
【０００８】
本発明は、このような問題に対処してなされたものであり、電池を収納するだけでなく、電池蓋を装着しなければ電池が電気回路に接続されないようにした、信頼性の高い電池収納装置を提供することを目的とするものである。
【０００９】
【課題を解決するための手段】
本発明の電池収納装置は、電子機器内に設けられ、前記電子機器に給電するための電池を収納した電池収納装置であって、
前記電池を収納する電池収納用の凹部で構成した電池室及びこれを閉じる電池蓋と、
前記電池室に予め定められた方向及び状態で電池を収納するとともに前記電池室に予め定められた状態で前記電池蓋を装着すると、前記電池と前記電子機器内の電気回路とを電気的に接続するスイッチ回路と
を備えた構成とした。
【００１０】
この構成により、電池蓋を予め定めた状態に装着しない限り、電池が電気回路に接続されないことになる。このため、電気回路を動作させる場合には、電池蓋を必ず予め定めた状態に装着することになり、使用中に誤って電池が電気回路より切り離されるのを未然に、かつ、容易に、しかも確実に防止することができる。
【００１１】
また、本発明の電池収納装置は、前記スイッチ回路の一部が、前記電池蓋に装着された導電体で構成されたものとした。
【００１２】
この構成により、スイッチ回路として、特別なスイッチを用いることなく、簡単に構成することが可能となり、電池収納装置全体を安価に製造することが可能になる。
【００１３】
また、本発明の電池収納装置は、前記電池蓋に形成した係止片と、
前記電池収納用凹部の開口部に形成した係止用透孔と、
前記係止片を前記係止用透孔に挿入すると、前記係止片によって前記スイッチ回路が動作するように構成した。
【００１４】
この構成により、電池蓋を完全に閉じて係止片を透孔に挿入させたときに初めてスイッチ回路が動作して閉じることになり、電池蓋が閉じられていない状態でスイッチ回路が動作して電池が電気回路に接続されるのを確実に防止することができるようになる。
【００１５】
【発明の実施の形態】
以下、本発明の実施の形態について添付図面を参照しながら詳細に説明する。
［第１の実施の形態］
図１は本発明の一実施の形態における電池収納装置を下側から眺めたときの斜視図、図２は同じ電池収納装置の分解斜視図、図３は同じ電池収納装置の電池蓋を内側から見た斜視図、図４及び図５はそれぞれ図１の電池収納装置におけるＩＶ−ＩＶ線及びＶ−Ｖ線での断面図である。
【００１６】
本発明の一実施の形態における電池収納装置は、図１に示すように、軸受部３によって回動自在に連結された２つの筺体１及び筺体２を有する、所謂、折畳式の携帯電話機に採用されている。なお、この電池収納装置の適用対象となる電子機器としては、勿論この折畳式の携帯電話機に限らない。
図１〜図５において、先に説明した２つの筺体１、２のうち、一方の筺体（上側筐体）１には、図示していないが、液晶表示器が設けられている。そして、他方の筺体（下側筐体）２には、本発明の一実施の形態における電池収納装置やキーボードが、それぞれ以下に説明するように設けられている。
【００１７】
電池収納装置を構成する電池収納用の凹部である電池室４は、図１及び図２に示すように、筐体２の背面（外面）側に設けられており、この電池室４の開口部周辺には、電池蓋５を電池室４の開口部に装着する際のガイドとなる略矩形状の案内用の平面４１が一体に形成されている。
【００１８】
そして、この電池室４は、前述の平面４１を構成する１辺（この実施形態では長辺）に、後述する電池蓋５の係止用の突起５１Ａが係止する係止用の透孔４２が電池室４である凹部を臨むように形成されているとともに、この一辺と向かい合う他辺には、電池室４まで貫通した透孔４３が形成されている。
【００１９】
また、この電池室４には、開口部に臨む前述の他辺部分に、先端部がく字状を呈する接片４４、４５が設けられている。この接片４４、４５は、図４及び図５に示すように、筐体２内部の印刷配線板２１に取付けられており、電池蓋５を電池室４に装着した状態で、接片４４、４５が電池蓋５の内面に形成した後述する導電体５４、５５に強固に弾性的に接触するようにするように構成されている。このため、この接片４４、４５は、く字状の先端部をそれぞれ電池室４の開口部に形成した切欠４１Ａ、４１Ｂを通して電池室４の開口部より若干外側（側方）に突出するように配置している。
【００２０】
一方、電池蓋５の一辺（この実施形態では長辺）には、先端部に係止用の突起５１Ａを有する係止片５１が一体に形成されており、電池蓋５を電池室４に正しく取付けたときには、係止片５１の突起５１Ａが透孔４２に挿入されて係止するように構成されている。
【００２１】
また、この電池蓋５の前述の一辺と向かい合う他辺には、屈曲片５２が電池蓋５の外面に対して直角に折曲した断面略Ｌ字状に延設されており、この屈曲片５２の内面中央部には、図３に示すように、係止用の突起５３Ａを有する係止片５３が一体に形成されている。これにより、電池蓋５を電池室４に正しく取付けたときには、同様に、係止片５３の突起５３Ａが透孔４３に挿入されて係止するようになっている。
【００２２】
さらに、電池蓋５の内面には、図２及び図３に示すように、導電体５４、５５が設けられており、電池６を電池室４に予め定めた状態で収納すると、電池６に形成した電極端子６１、６２にそれぞれ電気的に接続されるようになっている。
【００２３】
この電池蓋５の内面に形成した導電体５４、５５は、それぞれ電池蓋５に形成した屈曲片５２の内面まで延設されており、電池蓋５を電池室４の開口部に予め定めた正常な配置状態で装着したとき、電池室４の開口部に設けられた接片４４、４５に接触し、この接片４４、４５を通して筐体２内の電気回路に電気的に接続されるように構成されている。
【００２４】
また、この導電体５４、５５には、電極端子６１、６２との電気的な接続を良好に保つために、図３に示すように、ばね接片５６、５７が電極端子６１、６２と対向する部分に取付けられている。
【００２５】
以上のように構成された本実施の形態に係る電池収納装置は、次のような作用、効果を有する。
本実施の形態における電池収納装置において、電池室４に電池６を収納するとともに、電池蓋５に形成した係止片５１、５３をそれぞれ電池室４の開口部周辺に形成した係止用の透孔４２、４３に挿入し、電池蓋５を電池室４の開口部に正常な状態で装着する。
【００２６】
すると、図４及び図５に示すように、電池蓋５の内面に形成した導電体５４、５５が、電池室４に収納された電池６の電極端子６１、６２及び電池室４の開口部に配置された接片４４、４５にそれぞれ電気的に接続される。その結果、電池６からの起電力が、電池蓋５の内面に設けた導電体５４、５５及び電池室４の開口部に配置された接片４４、４５を介して、筐体２内部に設けた図示外の電気回路に供給されることになる。
【００２７】
ところで、本実施の形態によれば、この場合、電池６として、図２に示すように、一辺に偏った位置に電極端子６１、６２を有する方形の偏平な電池を使用しており、また、電池蓋５としても、一辺に屈曲片５２を有するものを使用している。
このように、電池６及び電池蓋５のいずれもが、電池室４に収納したり装着したりする場合に、予め定めた一方向でなければ正しく正常に収納され装着されたといえないようようなものを使用しているため、電池６は勿論のこと、電池蓋５も予め定めた一方向に配置させない限り、電池蓋５に形成した導電体５４、５５を電池６に形成した電極端子６１、６２や電池室４の開口部周辺に設けた接片４４、４５に接触させることができない。
【００２８】
従って、この電池６や電池蓋５を誤って、予め定めた一方向に収納しなかったり、装着しなかった場合には、電池６が筐体２内部の電気回路に接続されず、正確に収納したり、装着したときのみ、電池６を筐体２内部の電気回路に正確に電気的に接続できることになる。
【００２９】
しかも、本実施の形態によれば、電池蓋５に形成した導電体５４、５５の、電池６の電極端子６１、６２に対向する位置には、板ばね等よりなる弾性を有するばね接片５６、５７が取付けられている。従って、導電体５４、５５は、ばね接片５６、５７を介して電池６の電極端子６１、６２に弾性的に強固に、かつ、正確に接触することになる。
【００３０】
また、本実施の形態によれば、電池蓋５に形成した係止片５３を電池室４の開口部周辺に形成した係止用の透孔４３に挿入し、係止させたときに、電池蓋５に形成した導電体５４、５５が電池室４の開口部周辺に形成した接片４４、４５に接触するようになっている。従って、電池蓋５をほぼ完全に装着したときのみ両者が電気的に接続されることになり、中途半端な状態で電池蓋５を装着した場合には電気的な接続が全く完成しないので、それに伴う瞬断事故などの発生が確実に防止できる、という利点を有する。
【００３１】
なお、本実施の形態では、電池蓋５の内面に導電体５４、５５を露出した状態で形成しているが、この導電体５４、５５は、接触部分を除いてその表面に絶縁層を設けてもよい。また、導電体５４、５５は、本実施の形態のように、印刷などの方法で形成するほか、金属線や板金等で形成するなど、任意の材料、方法で形成することが可能である。
【００３２】
また、本実施の形態では、電池蓋５の内面に正極用、負極用のそれぞれの導電体５４、５５を形成し、これらの導電体５４、５５で、それぞれ電池６を電池室４に装着した場合に、電池６を筐体２内部の電気回路に電気的に接続する正極用、負極用のそれぞれのスイッチ回路を構成しているが、このスイッチ回路は、正極用、負極用のいずれか一方があれば十分である。
【００３３】
従って、この場合には、一方の導電体（５４又は５５）及び一方の接片（４４又は４５）をそのまま残し、他方の導電体（５５又は５４）及び他方の接片（４５又は４４）を廃止して、他方の電極端子（６２又は６１）に直接接触する（筐体２内部の電気回路に接続された）別の接片を設けるようにすればよい。
勿論、電池６の電極端子６１、６２の位置をそれぞれ変更することも任意である。
【００３４】
以上、本実施の形態によれば、電池６及び電池蓋５をそれぞれ正常な位置に収納し装着したときに初めて電池６が筐体２内部の電気回路に接続されることになる。即ち、電池６や電池蓋５を中途半端に収納したり装着したりした状態では、電池６が電気回路に一切接続されず、中途半端な状態で機器を動作させて瞬断事故等を起こし、重要なメモリ内容を消滅させたり破損させる、といったトラブルを未然に防止することができる。
なお、以上説明してきた本実施の形態では、電池蓋５に導電体５４、５５を形成し、導電体５４、５５でスイッチ回路の一部を構成しているが、本発明はこの構成に限定されるものではない。
【００３５】
［第２の実施の形態］
次に、本発明の第２の実施の形態について説明する。なお、この実施形態において、第１の実施の形態と同一部分には同一符号を付して重複説明を避ける。
図６及び図７は本発明の第２の実施形態に係る電池収納装置を示すものであり、図６は同装置の側断面図、図７は同装置要部の電気的結線を示す説明図である。
【００３６】
第１の実施形態における電池蓋５には導電体５４、５５を設けていたが、本実施の形態では、この第１の実施の形態と異なり、導電体を一切設けていない。
即ち、本実施の形態では、電池室４の底面に接片４６、４７が設けられており、電池６を電池室４に収納することにより、電池６に形成した電極端子６１、６２がそれぞれ対応する接片４６、４７に接触するように構成されている一方、筐体２の内部に設けた印刷配線板２１には、スイッチ２２が取付けられている。
【００３７】
このスイッチ２２には、一方の端子２２Ａが筐体２内の図示外の電気回路に接続されているとともに、他方の端子２２Ｂが一方の接片４６に接続されている。また、このスイッチ２２には、ＯＮ、ＯＦＦの操作を行うための操作片２２Ｃが設けられており、この操作片２２Ｃは、電池蓋５を電池室４の開口部に装着して電池室４を閉じたときに、電池蓋５に形成した係止片５３によって押圧操作されオンするように構成されている。
【００３８】
なお、他方の接片４７は、直接筐体２内の電気回路に接続されており、結局、スイッチ２２は、図７に示すように、電池６に直列に接続された状態となっている。
【００３９】
本実施の形態によれば、第１の実施の形態と異なり、電池蓋５に導電体５４、５５を有しないが、電池６を、電極端子６１、６２が電池室４の底面側に配置されるような状態にして電池室４に収納すれば、電池６の電極端子６１、６２がそれぞれ対応する接片４６、４７に接触・導通する。
【００４０】
従って、この状態で、電池蓋５に形成した係止片５１、５３を電池室４３の開口部周辺に形成した係止用の透孔４２、４３にそれぞれ挿入するように、電池蓋５を電池室４に開口部に正常な位置に装着すれば、電子蓋５に形成した係止片５３が電池室４の開口部周辺に形成した係止用の透孔４３を通して電池室４内に突出する。
【００４１】
これにより、係止片５３がスイッチ２２の操作片２２Ｃを押圧操作してスイッチ２２をオンの状態にする。従って、この状態で、電池６がスイッチ２２を介して筐体２内の電気回路と電気的に接続されることになる。
【００４２】
このように、第２の実施の形態でも、図１から図５に示す第１の実施形態の場合と同様に、電池６を通常の正しい状態に収納し、その状態のまま電池蓋５を正しい状態に装着しなければ、電池６が筐体２内の電気回路と電気的に接続されないように構成されている。
【００４３】
従って、電池６を正規の状態に収納しない場合、或は、電池蓋５を正規の状態に装着していない状態で、誤って、筐体２内部の電気回路を駆動するといった事態が発生するということが全くなく、このような誤操作を未然に、かつ、容易に防止することができる。
【００４４】
【発明の効果】
以上説明してきたように、この発明によれば、電池蓋を予め定めた正規の状態に装着しない限り、電池が電気回路に接続されることがないから、電気回路を動作させる場合には、電池蓋を必ず予め定められた正規の状態に装着する必要があり、使用中に誤って電池が電気回路より切り離されるのを容易に、かつ、確実に防止することができるという利点を有する。
【図面の簡単な説明】
【図１】本発明の第１の実施形態に係る電池収納装置を備えた携帯電話機を示す斜視図である。
【図２】図１に示す本発明の第１の実施形態に係る電池収納装置の分解斜視図である。
【図３】本発明の第１の実施形態に係る電池収納装置の電池蓋を内面側から見たときの状態を示す斜視図である。
【図４】図１に示す本発明の第１の実施形態に係る電池収納装置おけるＩＶ−ＩＶ線断面図である。
【図５】図１に示す本発明の第１の実施形態に係る電池収納装置おけるＶ−Ｖ線断面図である。
【図６】本発明の第２の実施形態に係る電池収納装置を備えた携帯電話機の断面図である。
【図７】本発明の第２の実施形態に係る電池収納装置を備えた携帯電話機の要部における電気的結線状態を示す説明図である。
【符号の説明】
１　　　一方の筺体（上側筐体）
２　　　他方の筺体（下側筐体）
２１　　印刷配線板
２２　　スイッチ
２２Ｃ　操作片
４　　　電池室（凹部）
４１　　平面
４１Ａ、４１Ｂ切欠
４２　　係止用の透孔
４３　　透孔
４４、４５接片
４６、４７接片
５　　　電池蓋
５１Ａ　係止用の突起
５２　　屈曲片
５４、５５導電体
５６、５７ばね接片
６　　　電池
６１、６２電極端子
【図１】
2004039439.tif 000003
【図２】
2004039439.tif 000004
【図３】
2004039439.tif 000005
【図４】
2004039439.tif 000006
【図５】
2004039439.tif 000007
【図６】
2004039439.tif 000008
【図７】
2004039439.tif 000009